(57)【要約】 【課題】  たとえ長尺物が下方の収納部を邪魔する位置に掛け止められていても、開閉させたい収納部から容易に待避させることができる掛止具を有するキッチン台等の収納家具を提供すること。【解決手段】  上方に掛止具１２を設けた引出し５ａ，５ｂや開き戸６ａ，６ｂを有するキッチン台１等の収納家具であって、掛止具１２をキッチン台１前面上部に設けたガイドレール１０にスライド自在に係止されるように構成することで、掛止具１２をガイドレール１０に沿ってスライドさせて、掛止め具１２に掛けられたタオルＴ等が移動できるので、いつでも引出し５ａ，５ｂや開き戸６ａ，６ｂの開閉位置からタオルＴ等を待避させることができる。【選択図】  図１
2006026251.tif 000002
【特許請求の範囲】
【請求項１】
上方に掛止具が設けられた収納部を有するキッチン台等の収納家具であって、前記掛止具は収納家具前面上部に設けたレール部にスライド自在に係止されていることを特徴とする掛止具を有するキッチン台等の収納家具。
【請求項２】
前記収納部は引出し又は開き戸あるいは前面が開口されて構成されているもののいずれか一つ又はこれらの組み合わせから成る請求項１に記載の掛止具を有するキッチン台等の収納家具。
【請求項３】
前記レール部は収納部以外の部分に設けられている請求項１または２に記載の掛止具を有するキッチン台等の収納家具。
【請求項４】
前記レール部は収納家具の前面幅に渡って設けられている請求項３に記載の掛止具を有するキッチン台等の収納家具。
【請求項５】
前記収納家具は独立した家具が２個以上連接配置されたものであり、前記レール部は複数の家具間に渡って掛止具が移動できるように連接して設けられている請求項３または４に記載の掛止具を有するキッチン台等の収納家具。
【請求項６】
前記レール部は収納部の取っ手に設けられている請求項１または２に記載の掛止具を有するキッチン台等の収納家具。
【請求項７】
前記取っ手は収納部の全幅に渡って設けられたライン取っ手で構成されている請求項６に記載の掛止具を有するキッチン台等の収納家具。
【請求項８】
前記収納部が左右に２個以上連接配置されたものであり、前記ライン取っ手に設けたレール部は複数の収納部間に渡って掛止具が移動できるように連接して設けられている請求項７に記載の掛止具を有するキッチン台等の収納家具。
【請求項９】
前記収納家具は独立した家具が２個以上連接配置されたものであり、前記ライン取っ手に設けたレール部は複数の家具間に渡って掛止具が移動できるように連接して設けられている請求項７または８に記載の掛止具を有するキッチン台等の収納家具。
【請求項１０】
前記ライン取っ手に設けたレール部が収納部以外に設けられたレール部と掛止具が移動できるように連接して設けられている請求項７ないし９のいずれかに記載の掛止具を有するキッチン台等の収納家具。
【請求項１１】
前記ライン取っ手に設けたレール部を有する収納家具と、収納部以外に設けられたレール部を有する収納家具が２個以上連接配置されたものであり、少なくともライン取っ手に設けたレール部と収納部以外に設けられたレール部が収納家具間に渡って掛止具が移動できるように連接して設けられている請求項７ないし１０のいずれかに記載の掛止具を有するキッチン台等の収納家具。
【請求項１２】
前記掛止具はタオルを含む長尺物が掛け止めできる構造を有している請求項１ないし１１のいずれかに記載の掛止具を有するキッチン台等の収納家具。
【発明の詳細な説明】
【技術分野】
【０００１】
本発明は、上方にタオル等の長尺物を掛止めできる掛止具が設けられたキッチン台等の収納家具に関する。
【背景技術】
【０００２】
従来、キッチン台や、洗面台にタオル等の長尺物を掛止具で掛止めできるようにしたものが知られている（特許文献１参照）。この特許文献１に記載の従来例のものは、洗面台前面にタオル掛を設けたもので、風通しもよく、洗面台前面の空間を有効利用できるので、使い勝手が良かった。
【０００３】
【特許文献１】特開平１１−２５３３３４号公報（段落０００２、第６図）
【発明の開示】
【発明が解決しようとする課題】
【０００４】
しかしながら、従来のこのような掛止具が設けられた洗面台は、掛止具下方に収納部を有している場合に、物の出し入れの際に掛止具に掛けられた長尺物が邪魔になり、収納部の開閉が煩わしく、かつ面倒であった。
【０００５】
本発明は、このような問題点に着目してなされたもので、たとえ長尺物が下方の収納部を邪魔する位置に掛け止められていても、開閉させたい収納部から容易に待避させることができる掛止具を有するキッチン台等の収納家具を提供することを目的とする。
【課題を解決するための手段】
【０００６】
上記の目的を解決するために、本発明の請求項１に記載の掛止具を有するキッチン台等の収納家具は、上方に掛止具が設けられた収納部を有するキッチン台等の収納家具であって、前記掛止具は収納家具前面上部に設けたレール部にスライド自在に係止されていることを特徴としている。
この特徴によれば、掛止具をキッチン台等の前面上部に設けたレール部に沿ってスライドさせることにより、掛止具に掛けられた長尺物等が移動できるので、いつでも収納部の開閉位置から長尺物等を待避させることができる。
【０００７】
本発明の請求項２に記載の掛止具を有するキッチン台等の収納家具は、請求項１に記載の掛止具を有するキッチン台等の収納家具であって、前記収納部は引出し又は開き戸あるいは前面が開口されて構成されているもののいずれか一つ又はこれらの組み合わせから成ることを特徴としている。
この特徴によれば、収納部が引出し、開き戸あるいは前面が開口されて構成されているもので構成されている種々のタイプの収納家具に対しても、収納部の開閉位置から掛止具にかけられた長尺物等を待避させることができる。
【０００８】
本発明の請求項３に記載の掛止具を有するキッチン台等の収納家具は、請求項１または２に記載の掛止具を有するキッチン台等の収納家具であって、前記レール部は収納部以外の部分に設けられていることを特徴としている。
この特徴によれば、収納部が設けられていない領域、例えばシンクが設けられたキッチン台の幕板にレール部を設けてキッチン台の前面側の有効利用を図ることができる。
【０００９】
本発明の請求項４に記載の掛止具を有するキッチン台等の収納家具は、請求項３に記載の掛止具を有するキッチン台等の収納家具であって、前記レール部は収納家具の前面幅に渡って設けられていることを特徴としている。
この特徴によれば、レール部を収納家具の前面幅に渡って設けることで、掛止具の移動幅を大きくできる。
【００１０】
本発明の請求項５に記載の掛止具を有するキッチン台等の収納家具は、請求項３または４に記載の掛止具を有するキッチン台等の収納家具であって、前記収納家具は独立した家具が２個以上連接配置されたものであり、前記レール部は複数の家具間に渡って掛止具が移動できるように連接して設けられていることを特徴としている。
この特徴によれば、連接配置した家具間に渡ってレール部が設けられるので、レール部を長いものとすることができ、幅のある掛止具や複数の掛止具を設けることも可能である。
【００１１】
本発明の請求項６に記載の掛止具を有するキッチン台等の収納家具は、請求項１または２に記載の掛止具を有するキッチン台等の収納家具であって、前記レール部は収納部の取っ手に設けられていることを特徴としている。
この特徴によれば、収納部の取っ手を利用することで、容易にレール部を構築することができる。
【００１２】
本発明の請求項７に記載の掛止具を有するキッチン台等の収納家具は、請求項６に記載の掛止具を有するキッチン台等の収納家具であって、前記取っ手は収納部の全幅に渡って設けられたライン取っ手で構成されていることを特徴としている。
この特徴によれば、レール部を収納部の全幅に渡って設けたライン取っ手とすることで、掛止具の移動幅を大きくとれる。
【００１３】
本発明の請求項８に記載の掛止具を有するキッチン台等の収納家具は、請求項７に記載の掛止具を有するキッチン台等の収納家具であって、前記収納部が左右に２個以上連接配置されたものであり、前記ライン取っ手に設けたレール部は複数の収納部間に渡って掛止具が移動できるように連接して設けられていることを特徴としている。
この特徴によれば、ライン取っ手を連接して長いレール部を構成することにより掛止具の移動幅を大きくとれる。
【００１４】
本発明の請求項９に記載の掛止具を有するキッチン台等の収納家具は、請求項７または８に記載の掛止具を有するキッチン台等の収納家具であって、前記収納家具は独立した家具が２個以上連接配置されたものであり、前記ライン取っ手に設けたレール部は複数の家具間に渡って掛止具が移動できるように連接して設けられていることを特徴としている。
この特徴によれば、ライン取っ手に設けたレール部が複数の家具間に渡って連接することにより、掛止具の移動幅をより一層大きくとれる。
【００１５】
本発明の請求項１０に記載の掛止具を有するキッチン台等の収納家具は、請求項７ないし９のいずれかに記載の掛止具を有するキッチン台等の収納家具であって、前記ライン取っ手に設けたレール部が収納部以外に設けられたレール部と掛止具が移動できるように連接して設けられていることを特徴としている。
この特徴によれば、隣に収納部がない場合であってもレール部を長くして掛止具の移動幅を大きくすることができる。
【００１６】
本発明の請求項１１に記載の掛止具を有するキッチン台等の収納家具は、請求項７ないし１０のいずれかに記載の掛止具を有するキッチン台等の収納家具であって、前記ライン取っ手に設けたレール部を有する収納家具と、収納部以外に設けられたレール部を有する収納家具が２個以上連接配置されたものであり、少なくともライン取っ手に設けたレール部と収納部以外に設けられたレール部が収納家具間に渡って掛止具が移動できるように連接して設けられていることを特徴としている。
この特徴によれば、タイプの異なる収納家具が連接配置されていても、家具間に渡る長いレール部を構築することができる。
【００１７】
本発明の請求項１２に記載の掛止具を有するキッチン台等の収納家具は、請求項１ないし１１のいずれかに記載の掛止具を有するキッチン台等の収納家具であって、前記掛止具はタオルを含む長尺物が掛け止めできる構造を有していることを特徴としている。
この特徴によれば、掛止具に、タオルのみならず、各種長尺物も掛けられるようにすることで、使い勝手のよい収納家具とすることができる。
【発明を実施するための最良の形態】
【００１８】
本発明の実施例を以下に説明する。
【実施例１】
【００１９】
本発明の実施例１を図面に基づいて説明すると、先ず図1は本発明の実施例１における掛止具を有するキッチン台の斜視図、図２（ａ）はキッチン台前面の幕板に設けたレール部に掛止具をスライド自在に係止した状態を示す部分斜視図、（ｂ）は（ａ）のＡ−Ａ断面図、図３は開き戸を備えた移動掛止具を有するキッチン台の斜視図、図４は複数の引出しを備えた移動掛止具を有するキッチン台の斜視図、図５は前面が開口した収納部を備えた移動掛止具を有するキッチン台の斜視図、図６はレール部両端に着脱自在に装着される掛止具ストッパであって、（ａ）〜（ｃ）は組立説明図である。
【００２０】
図１には本発明の掛止具を有する収納家具として、例えばキッチン台１が示されており、このキッチン台１は、天板２上にシンク４が設けられており、キッチン台１前面の幕板８下方には各種形態の収納部が配置されている。
【００２１】
収納部の形態としては、主に複数の引出しを配置した引出し型、開き戸型、引出しと開き戸の結合型、キャリアカート等を収容する開口型などが挙げられる。図１に示される収納部は結合型であって、キッチン台１前面の上方左右には一対の引出し５ａ，５ｂ並びにこれら引出し５ａ，５ｂの下方には一対の開き戸６ａ，６ｂが設けられている。
【００２２】
キッチン台１は、前面に取っ手Ｎを設けた引出し５ａ，５ｂの上部に横長の幕板８が取り付けられており、幕板８の上端縁には長手方向に沿ってレール部となる断面コ字状のガイドレール１０が全長に亘って取り付けられている。
【００２３】
ガイドレール１０は、図２（ａ），（ｂ）に示すように、上下の対向内面に一対のレール１４ａ，１４ｂが向合って突設し、これらレール１４ａ，１４ｂには例えば長尺物としてのタオルＴなどを掛止めることができる掛止具１２がスライド自在に係止されている。
【００２４】
掛止具１２は、タオルＴなどを掛止めする断面角型の掛止バー１６と、掛止バー１６の両端を支持する一対の支持アーム１５ａ，１５ｂと、両支持アーム１５ａ，１５ｂを支持する横長矩形のベースプレート１８と、ベースプレート１８の裏面側左右に回転自在に軸支される一対の溝付きホィールＷとから構成されている。
【００２５】
そして、掛止具１２は、一対の溝付きホィールＷをガイドレール１０上下のレール１４ａ，１４ｂに係止されることで、ガイドレール１０全長に亘って横方向にスライド自在に支持される。ガイドレール１０の両端には後述するストッパ１９（図６参照）が装着されており、掛止具１２の脱落を防止している。
【００２６】
次に、図３に示される収納部は開き戸型であって、共通部分には同一符号を付して説明するが、キッチン台１の幕板８下方には前面に取っ手Ｎを有する一対の開き戸２０ａ，２０ｂが配置されており、幕板８の上端縁には掛止具１２をスライド可能に係止するガイドレール１０が全長に亘って取り付けられている。
【００２７】
また、図４に示される収納部は引出し型であって、キッチン台１の幕板８下方の左右にはそれぞれ前面に取っ手Ｎを有する複数の引出し２２ａ，２２ｂ〜２５ａ，２５ｂが配置されており、幕板８の上端縁には掛止具１２をスライド可能に係止するガイドレール１０が全長に亘って取り付けられている。
【００２８】
更に、図５に示される収納部は開口型であって、この収納部はキャリアカートＣＲ等を収容するためにキッチン台１前面の幕板８下方に大な開口２７を形成した収納空間が形成されており、幕板８の上端縁には掛止具１２をスライド可能に係止するガイドレール１０が全長に亘って取り付けられている。
【００２９】
次に、ガイドレール１０から掛止具１２の脱落を防止するストッパ１９に付き図６を参照して説明する。
【００３０】
ストッパ１９は、角型の閉塞板１７と突出片２６から成り、突出片２６は閉塞板１７の片面から鉛直に突設し上下に一対の係止片２６ａ，２６ｂを有すると共に、その中央にはネジ孔２８が螺設されている。このストッパ１９をガイドレール１０の両端に装着する際は、ガイドレール１０の端部から両係止片２６ａ，２６ｂを一対のレール１４ａ，１４ｂとガイドレール１０の内側面との間に挿嵌すると共に、突出片２６を対向する一対のレール１４ａ，１４ｂ間から開口側に挿通させて閉塞板１７をガイドレール１０の両端に当接させる。
【００３１】
次いでネジ孔２８に止めネジ２９をガイドレール１０の開口側から螺挿し、止めネジ２９回転させてその先端をガイドレール１０の内側面に押付けることで、両係止片２６ａ，２６ｂが一対のレール１４ａ，１４ｂと内側面との間で挟持される。
【００３２】
そこで、キッチン台１前面に配置された各種形態の引出し型、開き戸型、引出しと開き戸の結合型、及び開口型の収納部を使用するに際し、使用される収納部前面の取っ手Ｎが掛止具１２に掛けられたタオルなどで邪魔になる場合は、掛止具１２をガイドレール１０にそって横移動させることができる。
【００３３】
このようにすることで、掛止具１２に掛けられたタオルＴなどを移動できるので、いつでも左右に２つ以上分割された複数の引出し５ａ，５ｂ又は２２ａ，２２ｂ〜２５ａ，２５ｂや、複数の開き戸６ａ，６ｂ又は２０ａ，２０ｂないし大な開口２７を形成した収納空間から成る収納部前面の使用位置からタオルＴなどを適宜待避させることができる。なお、ガイドレール１０をキッチン台１の前面幅に渡って設けた例で説明したが、必ずしもこれに限るものでなく、所要の長さがあれば十分であり、キッチン台１の前面幅に渡って設ける必要はない。
【実施例２】
【００３４】
次に、本発明の実施例２を図７に基づいて説明する。図７は本発明の実施例２における引出しの取っ手に掛止具を設けたシンクを有しないキッチン台の斜視図である。
【００３５】
本実施例では、キッチン台１’前面の上部に横幅の長い引出し３０が設けられ、この引出し３０の前面板に取っ手３１が取り付けられている。取っ手３１は掛止具１２’のレール部として構成されており、開き戸２０ａを開ける場合には、タオルＴ等の長尺物を掛止具１２’と共に右方の開き戸２０ｂがある位置（２点差線で示した位置）に移動することで、開き戸２０ａが長尺物に邪魔されることなく開けることができる。
【００３６】
このように、引出しの取っ手を利用してレール部を構成することで、新規のレールを新たに取り付ける必要がない。また、図示していないが開き扉の取っ手を利用して同様のレール部を構築して掛止具を移動できるようにしてもよい。
【実施例３】
【００３７】
次に、本発明の実施例３を図面に基づいて説明する。図８〜図１３は本発明の実施例３を示すもので、図８は実施例３における移動掛止具を有するキッチン台の斜視図、図９はライン取っ手の両端に着脱自在に装着される掛止具ストッパであって、（ａ）は掛止具ストッパをレール部両端に装着する状態を示す斜視図、（ｂ）は掛止具ストッパをライン取っ手両端に装着した状態を示す断面図、図１０はレール部として形設されるライン取っ手に移動可能に係止される掛止具の正面図、図１１は図１０のＢ−Ｂ断面図、図１２は図１０のＣ−Ｃ断面図、図１３は図１０のＤ−Ｄ断面図である。実施例１と共通部分は同一符号を使用して説明する。
【００３８】
本実施例では、キッチン台前面の上下配置された左右一対の引出し又は開き戸に設けたライン取っ手を、掛止具のレール部として形設したものである。図８にはシンクを有しないキッチン台１１の前面に配置された複数の引出し２２ａ，２２ｂ〜２５ａ，２５ｂが示されており、少なくとも最上段の左右に配置される引出し２１ａ，２１ｂの取っ手には従来から周知のライン取っ手３４が用いられている。
【００３９】
そして、このライン取っ手３４は引出しの全幅に渡っており、例えばタオルＴなどを掛止めることができる掛止具３２がスライド自在に係止され、ライン取っ手３４の両端には後述するストッパ３７が装着されており、掛止具３２の脱落を防止している。
【００４０】
図９にはライン取っ手の両端に装着されるストッパ３７が示されている。このライン取っ手３４は、周知のように前面が開口する断面略コ字状に形成されており、開口側上縁には上部垂下片３４ａが設けられると共に開口側下縁には下部垂下片３４ｃが設けられ、後方の内壁３４ｂは上方から開口側に向く曲線で形成されている。
【００４１】
また、ライン取っ手３４の背面には下方に臨む支持板３５が長手方向に沿って接合されており、引出し２１ａ，２１ｂの前面板の上端に載せたライン取っ手３４を、支持板３５を介して前面板の内側からネジ固定されるようになっている。
【００４２】
次に、本実施例に係るストッパ３７に付き図９を参照して説明する。
【００４３】
このストッパ３７は、縦長矩形の閉塞板３３と、閉塞板３３の片面から突設したライン取っ手３４の内部形状に合わせた断面形状を有する突出部材３９とこの突出部材３９の直下に隣接配置される小突出片４０とから成る。突出部材３９の中央には挿通形成されたネジ孔２８が螺設されている。
【００４４】
そこで、このストッパ３７をライン取っ手３４の両端に装着する際は、突出部材３９をライン取っ手３４の端部から上部垂下片３４ａの内側と内壁３４ｂの間に挿嵌すると共に、小突出片４０をライン取っ手３４下方の下部垂下片３４ｃ内側に係止させて閉塞板３３をライン取っ手３４の両端に当接させる。  
【００４５】
次いで、ネジ孔２８に止めネジ２９をライン取っ手３４の開口側から螺挿し、止めネジ２９を回転させてその先端をライン取っ手３４の内側面に押付けることで、突出部材３９が内側面と上部垂下片３４ａの内側との間で挟持される。
【００４６】
次に、本実施例３の掛止具に付き図１０〜図１３を参照して説明する。
【００４７】
掛止具３２は、引出し２１ａ，２１ｂのライン取っ手３４の全長より若干短い長さで形成された断面コ字形の外フレーム３６ａと、この外フレーム３６ａ下端の折曲下片上に支持されると共に内壁に密接した断面Ｌ字形の内フレーム３６ｂと、内外フレーム３６ａ，３６ｂの両端に固定されたブロック体３８に斜めに回転自在に軸支される一対の下部ホィール４１，４１と、内外フレーム３６ａ，３６ｂの長さ方向略中間にあって内フレーム３６ｂ下端の折曲下片上に一対の調整ネジ４８を介して上下方向調整可能なブロック体４２に回転自在に軸支される上部の溝付きホィールＷと、外フレーム３６ａの前面両側に内側から皿ネジ５６を介して取り付けられる一対の支持アーム４４ａ，４４ｂと、両支持アーム４４ａ，４４ｂ間に取り付けられてタオルＴなどを掛止めする断面円形の掛止バー４６とから構成されている。
【００４８】
詳しくは、一対の下部ホィール４１，４１はライン取っ手３４の内壁３４ｂを形成する内部下方の偏曲部と、上部の溝付きホィールＷは上部垂下片３４ａの端部と係合している。  内外フレーム３６ａ，３６ｂは、図１１に示すようにライン取っ手３４に斜めに移動可能に係止される下部ホィール４１，４１を支持するブロック体３８，３８と、ホィールＷを支持するブロック体４２とを介して垂直に保持されている。
【００４９】
図１２に示すように、溝付きホィールＷを軸支するブロック体４２は、内フレーム３６ｂに皿ネジ５０を挿通するための一対の縦長孔５２が形成されると共に、これら縦長孔５２に対応して皿ネジ５０に螺着したナット５５を回転不能に係止する一対のガイド溝５４が形成されており、内フレーム３６ｂ下端の折曲下片にはブロック体４２を支持する一対の調整ネジ４８が設けられている。この調整ネジ４８にて高さ調整した後に、縦長孔５２を介して皿ネジ５０を挿通し、皿ネジ５０を回動してブロック体４２を内フレーム３６ｂに固定した後、外フレーム３６ａと内フレーム３６ｂを一体化する。
【００５０】
そこで、キッチン台１１前面に配置された複数の引出し２２ａ，２２ｂ〜２５ａ，２５ｂを使用するに際し、使用される引出し前面の取っ手Ｎが最上段の左右に配置される何れかの引出し２１ａ，２１ｂのライン取っ手３４に移動可能に係止される掛止具３２に掛けられたタオルなどで邪魔になる場合は、掛止具３２を近接する引出し２１ａまたは２１ｂのライン取っ手３４間で横移動させることができる。
【００５１】
掛止具３２を隣接配置される引出し又は開き戸間で移動させる際は、ライン取っ手３４を同一直線上で且つ近接して配置することで、乗り移りに支障を来すことなく円滑に移動することができる。このようにすることで、引出しのライン取っ手３４が掛止具３２のレール部として形設されているので、新たにレール部を取り付けることなく、収納家具としてのコストを抑えることができる。
【００５２】
また、ライン取っ手３４が図示しない複数の開き戸の上部に設けられている場合は、タオル等が開き戸の一部を塞いでいても、掛止具３２に掛けられたタオル等が隣接する開き戸上部のライン取っ手３４に移動できるので、いつでも開き戸の開閉位置からタオル等を待避させることができるだけでなく、新たにレール部を取り付けることなく、収納家具としてのコストを抑えることができる。
【００５３】
なお本実施例では、ライン取っ手３４を２つの連接した引出し２１ａ，２１ｂに設け、掛止具３２がそれぞれのライン取っ手間を渡って移動できる例で説明したが、必ずしも引出し同士が連接するものに限るものでなく、引出しと開き戸の各ライン取っ手を連接してレール部としてもよく、開き戸同士の各ライン取っ手を連接してレール部としてもよく、あるいは収納部のライン取っ手に設けたレール部と、収納部以外に設けたレール部とを連接して、掛止具がそれぞれのレール部間を渡って移動させてもよい。更に、一つの引出しがある程度幅方向に長さを有していれば、１個の引出しのライン取っ手内で掛止具を移動するようにしたものでもよい。
【実施例４】
【００５４】
次に、本発明の実施例４を図面に基づいて説明する。図１４、図１５は本発明の実施例４を示すもので、図１４は、収納部以外のところにそれぞれレール部を設けた２つの収納家具を連接配置した斜視図であり、図１５は、収納部以外のところと、収納部のところにそれぞれレール部を設けた２つの収納家具を連接配置した斜視図である。
【００５５】
図１４はキッチン台６０とキッチン具類を収納する家具７０の２つの独立した家具が連接配置され、キッチン台６０の上部幕板６１にはレール部となる断面コ字状のガイドレール６２が全長に亘って取り付けられ、下方には一対の開き戸６３ａ、６３ｂが配備されている。そしてこのガイドレール６２には掛止具６４がスライド自在に係止されている。
【００５６】
一方、家具７０は複数の引出し７１ａ〜７３ｂが２連に３段並べられ、最上部の収納部として構成されていないところにレール部となる断面コ字状のガイドレール７４が全長に亘って取り付けられている。また、両ガイドレール６２、７４は同一構造のものを使用している。
【００５７】
そしてキッチン台６０と家具７０が連接配置されたとき、キッチン台６０のガイドレール６２と家具７０のガイドレール７４とが同じ高さ位置にくるように配設することで、キッチン台６０側にある掛止具６４を家具７０側に移動することができ、再びキッチン台６０に戻すこともできる。このように構成することで長いレール部が得られ、複数の掛止具をレール部にスライド支持させることもできる。
【００５８】
図１５はキッチン台８０とキッチン具類を収納する家具９０の２つの独立した家具が連接配置され、キッチン台８０の上部幕板８１の右方にはレール部となる断面コ字状のガイドレール８２が取り付けられ、下方には一対の開き戸８３ａ、８３ｂが配備されている。そしてこのガイドレール８２には掛止具８４がスライド自在に係止されている。
【００５９】
一方、家具９０は複数の引出し９１、９２、９３が３段並べられ、最上段の引出し９１にライン取っ手９４が形設されている。このライン取っ手９４は前述の実施例と同様掛止具８４のレール部として構成されている。そしてキッチン台８０と家具９０が連接配置されたとき、キッチン台８０のガイドレール８２と家具９０のライン取っ手９４とが同じ高さ位置にくるように配設することで、キッチン台８０側にある掛止具８４を家具９０側に移動することができ、再びキッチン台８０に戻すこともできる。このように構成することで長いレール部が得られ、またタイプの異なる収納家具であっても、掛止具を家具間に渡って移動させることが可能である。
【００６０】
以上説明した独立した家具の組み合わせにおいて、各家具の収納部のライン取っ手を同一高さに配置して、掛止具を家具間に渡って移動させることもできる。また、実施例４における説明では、２つの家具間での掛止具の移動について述べているが、家具を３連、４連等、複数連接したものに適用できることは言うまでもない。
【００６１】
以上、本発明の実施例を図面により説明してきたが、具体的な構成はこれら実施例に限られるものではなく、例えば前述した実施例では掛止具をタオル掛けとして説明してきたが、タオルに限らずキッチン関連の長尺物を掛け止めすることが可能である。また、本発明の掛止具を有する収納家具はキッチン台のみならず、洗面台、バスルーム用キャビネットや一般の収納家具にも適用することができる。
【００６２】
更に、本実施例においてレール部の取り付け部を、幕板や、収納部に設けた例で説明してきたが、図１６に示すように天板を利用してもよい。図１６は天板張出部にレール部を取り付けた家具の部分斜視図であり、天板１００の下面１００ａに設けたガイドレール１０１に掛止具１０２が２つの車輪１０３，１０３を介してスライド可能に支持されている。このように天板１００の張出部に掛止具１０２を設けることができるので、掛止具１０２に掛けられた長尺物が家具の前面板と若干離れ、移動時に家具に形設された取っ手等の障害物との当接が避けられる。そして、長尺物が家具の前面板とより離れるように、天板下に設ける掛止具のスライド支持手段を、図２に示すように、掛止めバーを前方に突き出すようにする構成でもよい。
【００６３】
また、天板にレール部を設ける他の変形例として、天板に所要の厚みがあれば、天板の板厚内にレール部を下方から取り付け外部からレールが見えないようにすることもできる。また、天板を有する家具が複数連接したものであれば、各天板に設けたレール部を介して家具間を掛止具が移動するようにしてもよい。
【図面の簡単な説明】
【００６４】
【図１】本発明の実施例１における掛止具を有するキッチン台の斜視図である。
【図２】（ａ）はキッチン台前面の幕板に設けたレール部に掛止具をスライド自在に係止した状態を示す部分斜視図、（ｂ）は（ａ）のＡ−Ａ断面図である。
【図３】開き戸を備えた移動掛止具を有するキッチン台の斜視図である。
【図４】複数の引出しを備えた移動掛止具を有するキッチン台の斜視図である。
【図５】前面が開口した収納部を備えた移動掛止具を有するキッチン台の斜視図である。
【図６】レール部両端に着脱自在に装着される掛止具ストッパであって、（ａ）〜（ｃ）は組立説明図である。
【図７】本発明の実施例２における引出しの取っ手に掛止具を設けたシンクを有しないキッチン台の斜視図である。
【図８】実施例３における移動掛止具を有するキッチン台の斜視図である。
【図９】ライン取っ手の両端に着脱自在に装着される掛止具ストッパであって、（ａ）は掛止具ストッパをレール部両端に装着する状態を示す斜視図、（ｂ）は掛止具ストッパをライン取っ手両端に装着した状態を示す断面図である。
【図１０】レール部として形設されるライン取っ手に移動可能に係止される掛止具の正面図である。
【図１１】図１０のＢ−Ｂ断面図である。
【図１２】図１０のＣ−Ｃ断面図である。
【図１３】図１０のＤ−Ｄ断面図である。
【図１４】実施例４における、収納部以外のところにそれぞれレール部を設けた２つの収納家具を連接配置した斜視図である。
【図１５】同じく実施例４における、収納部以外のところと、収納部のところにそれぞれレール部を設けた２つの収納家具を連接配置した斜視図である。
【図１６】本発明の変形例である、天板張出部にレール部を取り付けた家具の部分斜視図である。
【符号の説明】
【００６５】
１、１’                キッチン台
２                      天板
４                      シンク
５ａ，５ｂ              引出し
６ａ，６ｂ              開き戸
８                      幕板
１０                    ガイドレール
１１                    キッチン台
１２、１２’            掛止具
１４ａ，１４ｂ          レール
１５ａ，１５ｂ          支持アーム
１６                    掛止バー
１７                    閉塞板
１８                    ベースプレート
１９                    ストッパ
２０ａ〜２０ｂ          開き戸
２１ａ〜２５ｂ          引出し
３０                    引出し
３１                    掛止具    
３２                    掛止具
３４                    ライン取っ手
４６                    掛止バー
６０                    キッチン台
６１                    幕板
６２                    ガイドレール（レール部）
６３ａ，６３ｂ          一対の開き戸
６４                    掛止具
７０                    家具
７１ａ〜７３ｂ          引出し
７４                    ガイドレール（レール部）
８０                    キッチン台
８１                    幕板
８２                    ガイドレール（レール部）
８３ａ，８３ｂ          一対の開き戸
８４                    掛止具
９０                    家具
９１〜９３              引出し
９４                    ライン取っ手
１００                  天板
１０１                  ガイドレール（レール部）
１０２                  掛止具
ＣＲ                    キャリアカート
Ｎ                      取っ手
Ｔ                      タオル
【図１】
2006026251.tif 000003
【図２】
2006026251.tif 000004
【図３】
2006026251.tif 000005
【図４】
2006026251.tif 000006
【図５】
2006026251.tif 000007
【図６】
2006026251.tif 000008
【図７】
2006026251.tif 000009
【図８】
2006026251.tif 000010
【図９】
2006026251.tif 000011
【図１０】
2006026251.tif 000012
【図１１】
2006026251.tif 000013
【図１２】
2006026251.tif 000014
【図１３】
2006026251.tif 000015
【図１４】
2006026251.tif 000016
【図１５】
2006026251.tif 000017
【図１６】
2006026251.tif 000018